(57)【要約】【課題】本発明は、３Ｄ表示による演出効果をより際立たせた作品を容易に撮影することが可能な撮像装置を提供する。【解決手段】本発明の撮像装置は、視差を有する複数の視点から被写体を撮影することが可能であって、少なくとも一つの前記視点による撮影で得られる前記被写体の２Ｄ動画像と、複数の前記視点による撮影で得られる前記被写体の３Ｄ画像とを撮影することが可能な撮影部と、前記２Ｄ動画像及び前記３Ｄ画像を記録する記録部と、前記２Ｄ動画像の撮影時において、前記３Ｄ画像の撮影に適切な時期を判定する被写体状況判定部と、前記被写体状況判定部が前記３Ｄ画像の撮影に適切な時期であると判定した場合において、前記３Ｄ画像の撮影を行うように前記撮影部を制御する撮影制御部と、を具備することを特徴とする。【選択図】図３
2010252046.tif 000002
【特許請求の範囲】
【請求項１】
視差を有する複数の視点から被写体を撮影することが可能であって、少なくとも一つの前記視点による撮影で得られる前記被写体の２Ｄ動画像と、複数の前記視点による撮影で得られる前記被写体の３Ｄ画像とを撮影することが可能な撮影部と、
前記２Ｄ動画像及び前記３Ｄ画像を記録する記録部と、
前記２Ｄ動画像の撮影時において、前記３Ｄ画像の撮影に適切な時期を判定する被写体状況判定部と、
前記被写体状況判定部が前記３Ｄ画像の撮影に適切な時期であると判定した場合において、前記３Ｄ画像の撮影を行うように前記撮影部を制御する撮影制御部と、
を具備することを特徴とする撮像装置。
【請求項２】
前記被写体状況判定部は、前記被写体と前記撮影部との距離を算出し、当該前記被写体と前記撮影部との距離が所定の距離より小さい場合に、前記３Ｄ画像の撮影に適切な時期を判定することを特徴とする請求項１に記載の撮像装置。
【請求項３】
前記被写体状況判定部は、前記撮影部の合焦距離から前記被写体と前記撮影部との距離を算出することを特徴とする請求項２に記載の撮像装置。
【請求項４】
画像処理によって前記２Ｄ動画像中における人物の顔の大きさを認識する顔認識部を具備し、
前記被写体状況判定部は、前記２Ｄ動画像中における人物の顔の大きさ及び前記撮影部の焦点距離に基づいて、前記被写体と前記撮影部との距離を算出することを特徴とする請求項２又は３に記載の撮像装置。
【請求項５】
前記顔認識部は、前記前記２Ｄ動画像中における人物の顔の表情を判定することが可能であって、
前記被写体状況判定部は、前記２Ｄ動画像中における人物の顔の表情の変化に基づいて、前記３Ｄ画像の撮影に適切な時期を判定することを特徴とする請求項４に記載の撮像装置。
【発明の詳細な説明】
【技術分野】
【０００１】
本発明は、複数の異なる視点から被写体を撮影することにより、立体表示可能な３Ｄ画像を撮影することが可能な撮像装置に関する。
【背景技術】
【０００２】
複数の異なる視点から同一の被写体を撮影することによって、立体表示（３Ｄ表示）可能な静止画像（３Ｄ静止画像）又は動画像（３Ｄ動画像）を撮影する技術が知られている。
【０００３】
３Ｄ表示可能な画像を撮影する方法としては、例えば特許第３７２２４９８号公報に開示されているように、１台の撮像装置を所定の距離だけ移動させながら複数の視点で撮影する方法が知られている。また、３Ｄ表示可能な画像を撮影する方法としては、所定の距離だけ離間して配設された２つの撮影用レンズを備えた撮像装置を用いて撮影する方法や、２台の撮像装置を所定の距離だけ離間させた状態に固定して撮影する方法も知られている。
【０００４】
また、３Ｄ画像を表示する表示装置も一般的なものとなりつつあり、使用者が手軽に３Ｄ静止画像や３Ｄ動画像を撮影し、鑑賞することが可能である。
【先行技術文献】
【特許文献】
【０００５】
【特許文献１】特許第３７２２４９８号公報
【発明の概要】
【発明が解決しようとする課題】
【０００６】
常に立体的な表示がなされる３Ｄ動画像では、鑑賞者は立体的な表示に慣れてしまうため、３Ｄ動画像であれば必ず通常の２Ｄ動画像に比してより強い臨場感を鑑賞者に与えることができるわけではなく、やはり通常の２Ｄ動画像と同様に演出が重要となる。
【０００７】
そこで例えば、通常の２Ｄ動画像中の適切な場面のみに３Ｄ表示を用いれば、３Ｄ表示をより際立たせたメリハリのある演出が可能となるものと考えられる。しかし、このような演出を考慮しながら撮影を行うことは困難であるし、また編集作業によってこのような演出を行うことも手間が必要である。
【０００８】
本発明は、上記問題点に鑑みてなされたものであり、２Ｄ動画像と３Ｄ静止画像とを適切に切り替えることにより、３Ｄ表示による演出効果をより際立たせた作品を容易に撮影することが可能な撮像装置を提供することを目的とする。
【課題を解決するための手段】
【０００９】
本発明に係る撮像装置は、視差を有する複数の視点から被写体を撮影することが可能であって、少なくとも一つの前記視点による撮影で得られる前記被写体の２Ｄ動画像と、複数の前記視点による撮影で得られる前記被写体の３Ｄ画像とを撮影することが可能な撮影部と、前記２Ｄ動画像及び前記３Ｄ画像を記録する記録部と、前記２Ｄ動画像の撮影時において、前記３Ｄ画像の撮影に適切な時期を判定する被写体状況判定部と、前記被写体状況判定部が前記３Ｄ画像の撮影に適切な時期であると判定した場合において、前記３Ｄ画像の撮影を行うように前記撮影部を制御する撮影制御部と、を具備することを特徴とする。
【発明の効果】
【００１０】
本発明によれば、２Ｄ画像と３Ｄ画像とを適切に切り替えることにより、３Ｄ表示による演出効果をより際立たせた作品を容易に撮影することが可能な撮像装置を提供することができる。
【図面の簡単な説明】
【００１１】
【図１】撮像装置の正面側を示す斜視図である。
【図２】撮像装置の背面側を示す斜視図である。
【図３】撮像装置の概略的な構成を説明するブロック図である。
【図４】３Ｄ効果判定処理のフローチャートである。
【図５】クライマックス判定処理のフローチャートである。
【図６】メインルーチンのフローチャートである。
【図７】メインルーチンのフローチャートである。
【図８】再生処理のフローチャートである。
【図９】２Ｄ動画像の撮影時の動作を説明する図である。
【図１０】２Ｄ動画像の再生時の動作を説明する図である。
【図１１】第２の実施形態のクライマックス判定処理のフローチャートである。
【図１２】クライマックス判定を有効とするための動作を示す図である。
【図１３】第３の実施形態の撮像装置を用いて３Ｄ画像を撮影するための動作を示す図である。
【図１４】第３の実施形態のメインルーチンのフローチャートである。
【図１５】第３の実施形態のメインルーチンのフローチャートである。
【図１６】３Ｄ撮影ガイド表示を説明する図である。
【図１７】２Ｄ動画像撮影開始時の状態を示す図である。
【図１８】３Ｄ画像が撮影された状態を示す図である。
【発明を実施するための形態】
【００１２】
本発明の撮像装置の好ましい形態について図面を参照して説明する。なお、以下の説明に用いた各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１３】
（第１の実施形態）  
本実施形態の撮像装置は、静止画像及び動画像を電子的に記録可能な装置であって、複数の異なる視点から同一の被写体を撮影して被写体の立体的な表示が可能な画像を得るためのものである。
【００１４】
以下では、複数の異なる視点から略同期して被写体を撮影して得られる視差を有する静止画像の組み合わせ及び視差を有する動画像の組み合わせを、それぞれ３Ｄ静止画像及び３Ｄ動画像と称するものとする。また３Ｄ静止画像及び３Ｄ動画像の少なくとも一方を指す場合は、単に３Ｄ画像と称する。
【００１５】
一つの視点から被写体を撮影して得られる、視差を持たない静止画像及び動画像を、それぞれ２Ｄ静止画像及び２Ｄ動画像と称するものとする。また２Ｄ静止画像及び２Ｄ動画像の少なくとも一方を指す場合は、単に２Ｄ画像と称する。
【００１６】
本実施形態の撮像装置１は、一例として、図１に示すように所定の基線長ＢＬだけ離間した２つの視点から被写体を撮影する撮影部２を具備している。撮影部２は、２つの視点にそれぞれ対応する、左撮影部２ａ及び右撮影部２ｂを具備してなる。
【００１７】
撮像装置１は、この左撮影部２ａ及び右撮影部２ｂによって異なる視点から被写体を撮影することによって、被写体の３Ｄ静止画像を記録することが可能である。また、撮像装置１は、左撮影部２ａ及び右撮影部２ｂの一方によって被写体を撮影することによって、被写体の２Ｄ静止画像を記録することが可能である。なお、撮像装置１は、さらに被写体の２Ｄ動画像及び３Ｄ動画像を記録することが可能であってもよい。
【００１８】
撮影部２の構成は異なる２つの視点から視差を有して被写体を撮影することが可能であれば特に限定されるものではないが、本実施形態では、左撮影部２ａ及び右撮影部２ｂのそれぞれに撮影用レンズとＣＣＤセンサやＣＭＯＳセンサ等の撮像素子とが配設されて構成されるものとする。
【００１９】
なお、撮影部２は、単一の撮像素子と、左撮影部２ａ及び右撮影部２ｂにそれぞれ配設され該撮像素子に被写体像を結像する一対の撮影用レンズとを備えるものであって、一対の撮影用レンズから撮像素子へ至る光束を、可動ミラーや液晶シャッタ等により高速に切り替え可能な構成であってもよい。例えば、撮像素子によって１／１２０秒毎に左撮影部２ａを介して得られる左視点画像と右撮影部２ｂを介して得られる右視点画像と、を切り換えて撮影することができれば、２つの異なる視点から略同期して被写体を撮影して得られる３Ｄ静止画像及び３Ｄ動画像を記録することができる。
【００２０】
まず、図１及び図２を参照して、撮像装置１の外観上の構成を説明する。撮像装置１の被写体に対向する前面には、上述した左撮影部２ａ及び右撮影部２ｂの他に、音声を記録するためのマイクロホン３が配設されている。
【００２１】
撮像装置１の背面には、音声を出力するためのスピーカ７と、画像を表示出力するための画像表示部１０が配設されている。スピーカ７は、例えば２Ｄ動画像や３Ｄ動画像の撮影と同時に記録された音声を出力することができる。
【００２２】
画像表示部１０は、２Ｄ静止画像及び２Ｄ動画像を表示することが可能であるとともに、異なる２つの視点から撮影された視差を有する画像を表示することにより、３Ｄ静止画像及び３Ｄ動画像を表示することが可能に構成されている。このような画像表示部１０は周知のものであるため、詳細な説明は省略するものとする。なお、画像表示部１０は、表示面上に操作部材としてのタッチセンサを具備した、いわゆるタッチパネルとして構成されるものであってもよい。
【００２３】
また、撮像装置１の上面及び背面には、使用者が撮像装置１の動作指示を入力するための操作部材が配設されている。操作部材は、静止画撮影スイッチ４、動画撮影スイッチ５、電源スイッチ６、ズーム操作スイッチ８及び十字スイッチ９等からなる。
【００２４】
静止画撮影スイッチ４は、撮像装置１による２Ｄ静止画像又は３Ｄ静止画像の撮影動作の指示を入力するためのスイッチである。動画撮影スイッチ５は、撮像装置１による２Ｄ動画像又は３Ｄ動画像の撮影動作の開始及び停止の指示を入力するためのスイッチである。
【００２５】
電源スイッチ６は、撮像装置１の電源オン状態及び電源オフ状態の切り替え指示を入力するためのスイッチである。ズーム操作スイッチ８は、左撮影部２ａ及び右撮影部２ｂの焦点距離の変更動作（ズーム動作）の指示を入力するためのスイッチである。また、十字スイッチ９は、撮像装置１の動作モードの変更の指示を入力するためのスイッチである。
【００２６】
なお、本実施形態では、操作部材は、複数のプッシュスイッチにより構成されているが、操作部材は、レバースイッチ、ダイヤルスイッチ、タッチセンサ、照度センサ及び加速度センサ等を具備して構成されるものであってもよい。
【００２７】
次に図３を参照して、撮像装置１の動作を制御するための構成を説明する。撮像装置１には、制御部２０と、操作判定部１１と、記録部１２と、時計部１３とが配設されている。図示しないが、撮像装置１には、撮像装置１の各部構成の動作に必要な電力を供給するための電源部が配設されている。なお、撮像装置１には、外部装置との間で有線又は無線の通信により画像等の送受信が可能な通信部が配設されてもよい。
【００２８】
制御部２０は、演算装置、記憶装置、入出力装置及び電力制御装置等を具備して構成され、所定のプログラムに基づいて撮像装置１の各部構成の動作を制御する制御装置である。制御部２０は、後述する撮像装置１の動作を実現するために必要な構成として、画像処理部２１、被写体状況判定部２２及び撮影制御部２３を具備して構成されている。なお、画像処理部２１、被写体状況判定部２２及び撮影制御部２３の制御部２０への実装は、ハードウェア的なものであってもよいしソフトウェア的なものであってもよい。
【００２９】
画像処理部３０は、撮影部２により撮影された画像に対し所定の画像処理を行うものである。本実施形態では、画像処理部３０は、画像中における人物の顔の数、位置、大きさ及び表情を、パターンマッチング等の所定の画像処理により認識する顔認識部２４を具備して構成されている。また、画像処理部３０は、撮影部２における合焦動作に用いるための画像のコントラスト値を算出するコントラスト算出部等を具備している。
【００３０】
被写体状況判定部２２は、詳しくは後述するが、撮影部２の左撮影部２ａ及び右撮影部２ｂの焦点距離及び合焦距離、顔認識部２４により認識された画像中の人物の顔の数、位置、大きさ及び表情、マイクロホン３から入力された音声等の情報に基づいて現在の被写体の状況を判定するものである。
【００３１】
撮影制御部２３は、詳しくは後述するが、被写体状況判定部２２からの出力結果に基づいて、撮影部２による撮影動作を制御するものである。
【００３２】
操作判定部１１は、使用者によって上述した操作部材を介して入力される操作指示を判定するものである。操作判定部１１による判定結果は制御部２０へ出力される。記録部１２は、情報を記録可能な装置であり、本実施形態では、撮影部２により撮影された画像を記録する。記録部１２は、半導体の不揮発メモリや、小型のハードディスクドライブ等の記録媒体を具備して構成されている。なお、記録部１２は撮像装置１とは別体であって、有線又は無線の通信形式により撮像装置１との間で情報の授受が可能なものであってもよい。
【００３３】
時計部１３は、撮影部２により撮影された画像の日時を記録するためのものである。撮像装置１により撮影される画像には、この時計部１３から読み取られた日時が撮影日時情報として付加される。
【００３４】
以下に、図４から図８のフローチャートを参照して、上述した構成を有する撮像装置１の動作を説明する。
【００３５】
まず、被写体状況判定部２２の詳細な動作について説明する。本実施形態においては、被写体状況判定部２２は、３Ｄ効果判定処理、及びクライマックス判定処理を実施する。
【００３６】
図４に示す３Ｄ効果判定処理は、概略的には、撮影部２の基線長ＢＬに対して撮像装置１と主要被写体との距離が立体的な表示をする場合に適切な関係にあるか否かを判定する処理である。
【００３７】
例えば、撮像装置１と主要被写体との距離が遠い場合、左撮影部２ａによって得られる左視点画像と及び右撮影部２ｂによって得られる右視点画像との間における差異、すなわち視差が僅かとなってしまうため、効果的に立体的な表示を行うことができる３Ｄ静止画像又は３Ｄ動画像を得ることは困難である。
【００３８】
本実施形態では、撮像装置１を携帯が容易な大きさとした場合に設定し得る基線長ＢＬの大きさを考慮して、撮像装置１と主要被写体との距離の適切な値ＬＡを、一例として３ｍとする。なお、この値ＬＡは、３Ｄ静止画像又は３Ｄ動画像を表示する表示装置の仕様等も加味して定められることが好ましい。
【００３９】
以下では、撮影部２の基線長ＢＬに対して撮像装置１と主要被写体との距離が立体的な表示をするのに適切な関係にある場合を、３Ｄ効果が有効であると称し、不適切な関係にある場合を、３Ｄ効果が無効であると称するものとする。
【００４０】
まず、ステップＳ７０において、顔認識部２４により、撮影部２により得られた画像中に人物の顔の存在を認識する顔認識処理を行う。そして、ステップＳ７１において、画像の中央部に人物の顔が存在するか否かを判定する。すなわち、ステップＳ７１では、人物が主要被写体であるか否かを判定する。
【００４１】
ステップＳ７１において、画像の中央部に人物の顔が存在すると判定した場合には、ステップＳ７２へ移行する。ステップＳ７２からステップＳ７４では、主要被写体である人物の画像中における顔の大きさＤｆ、及び撮影部２の撮影用レンズの焦点距離Ｚに基づいて、撮像装置１と主要被写体との距離が立体的な表示をするのに適切な関係にあるか否かを判定する。
【００４２】
具体的には、ステップＳ７４において、画像中において最も中心に近い人物の顔の大きさの代表値Ｄｆ、例えば人物の顔の面積や縦方向の画素数等を、撮影用レンズの焦点距離Ｚにより除算した値が、所定の値Ａ０よりも大きければ、ステップＳ７５において３Ｄ効果は有効であると判定する。また、人物の顔の大きさの代表値Ｄｆを焦点距離Ｚにより除算した値が、所定の値Ａ０以下であれば、ステップＳ７８において３Ｄ効果は無効であると判定する。
【００４３】
ここで、ステップＳ７４において、人物の顔の大きさの代表値Ｄｆを焦点距離Ｚにより除算するのは、画像中の主要被写体である人物の顔が大きい場合であっても焦点距離Ｚが大きい場合には、撮像装置１と人物との距離が遠く３Ｄ効果が得られにくいからである。本実施形態のように、人物の顔の大きさの代表値Ｄｆを焦点距離Ｚにより除算すれば、このような撮影用レンズの焦点距離Ｚの変化の影響を排除することができる。
【００４４】
また、判定に用いる所定の値Ａ０は、撮像装置１と主要被写体との距離の適切な値ＬＡや撮影部２の撮像素子のサイズ等を考慮して定められる。
【００４５】
一方、ステップＳ７１において、画像の中央部に人物の顔が存在しないと判定した場合、すなわち主要被写体が人物ではない場合には、ステップＳ７６へ移行する。ステップＳ７６及びステップＳ７７では、ピントが合わせられたものが主要被写体であるとみなし、撮影用レンズの合焦距離Ｌに基づいて撮像装置１と主要被写体との距離が立体的な表示をするのに適切な関係にあるか否かを判定する。
【００４６】
具体的には、ステップＳ７７において、撮影用レンズの合焦距離Ｌが、撮像装置１と主要被写体との距離の適切な値ＬＡよりも小さければ、ステップＳ７５において３Ｄ効果は有効であると判定する。また、撮影用レンズの合焦距離Ｌが、撮像装置１と主要被写体との距離の適切な値ＬＡ以上であれば、ステップＳ７８において３Ｄ効果は無効であると判定する。
【００４７】
なお、本実施形態では、画像の中央に人物の顔が認識された場合には、画像中の人物の顔の大きさによって３Ｄ効果の有効無効を判定しているが、画像中に人物が存在するか否かに関わらず撮影用レンズの合焦距離Ｌによって３Ｄ効果の有効無効を判定してもよい。
【００４８】
図５に示すクライマックス判定処理は、概略的には、動画撮影時において、撮影部２によって撮影された画像が、立体的な表示をするのに適切な場面であるか否かを判定する処理である。
【００４９】
例えば主要被写体が人物である場合、上述した３Ｄ効果判定処理において３Ｄ効果が有効であると判定された画像であっても、立体的な表示によって人物の魅力を際立たせるためには、画像中の人物に表情のない場面や、人物が何らかの動作の途中である場面は、適切ではない場合がある。
【００５０】
本実施形態では、一例として、主要被写体が人物である場合には、その人物が表情を変えた時が立体的な表示をするのに適切な場面であるとし、また主要被写体が人物ではない場合には、周囲の音声の音量が大きくなった時が、その撮影場所の近辺で何らかの雰囲気の盛り上がりがあったものとして立体的な表示をするのに適切な場面であるとする。また、動画像の撮影時であれば、その撮影の終了時の直前が使用者が撮影したい場面、すなわち際立たせたい場面であったものとして立体的な表示をするのに適切な場面であるとする。
【００５１】
以下では、撮影部２によって撮影された画像が立体的な表示をするのに適切な場面であると判定した場合を、クライマックス判定が有効であると称する。
【００５２】
まず、ステップＳ８０において、顔認識部２４により、撮影部２により得られた画像中に人物の顔の存在を認識する顔認識処理を行う。そして、ステップＳ８１において、画像の中央部に人物の顔が存在するか否かを判定する。すなわち、ステップＳ８１では、人物が主要被写体であるか否かを判定する。
【００５３】
ステップＳ８１において、画像の中央部に人物の顔が存在すると判定した場合には、ステップＳ８２へ移行する。ステップＳ８２では、主要被写体である人物の顔の位置、大きさ及び表情を判定し、数値化する。
【００５４】
そしてステップＳ８３からステップＳ８６において、現在及び直前の所定のフレーム数の間における、画像中の主要被写体である人物の顔の位置、大きさ及び表情の判定結果に基づいて、クライマックス判定が有効であるか否かを判定する。
【００５５】
具体的には、ステップＳ８３において、画像中の人物の顔の位置、大きさ及び表情のいずれにも変化が見られない場合、ステップＳ８４へ移行し、人物の表情が笑顔であるか否かを判定する。ステップＳ８４において、人物の表情が笑顔である場合には、クライマックス判定を有効とする。
【００５６】
ステップＳ８３において、画像中の人物の顔の位置、大きさ及び表情のいずれかに変化が生じた場合には、ステップＳ８５へ移行する。そして、画像中の人物の顔の位置、大きさ及び表情の変化が所定のしきい値以下となった場合、すなわち静止した場合には、クライマックス判定を有効とする。
【００５７】
また、ステップＳ８５において画像中の人物の顔の位置、大きさ及び表情の変化が継続している場合であっても、動画撮影スイッチ５が操作されて動画の撮影の終了指示が入力された場合には、クライマックス判定を有効とする。
【００５８】
一方、ステップＳ８１において画像の中央部に人物の顔が存在しないと判定した場合、すなわち主要被写体が人物ではない場合には、ステップＳ８８へ移行する。ステップＳ８８では、マイクロホン３から入力された音声の音量が大きくなった場合に、クライマックス判定を有効とする。
【００５９】
次に、図６及び図７を参照して、撮像装置１の動作制御のメインルーチンを説明する。このメインルーチンは、電源スイッチ６が操作されて、撮像装置１が電源オン状態とされることにより開始される。
【００６０】
まず、ステップＳ０１において、電源スイッチ６が操作されて撮像装置１を電源オフ状態とする指示入力がなされたか否かを判定する。電源オフ状態とする指示入力がなされたと判定した場合には、撮影用レンズの位置を所定の位置に移動する等の終了処理を実施した後に、撮像装置１を電源オフ状態とする。
【００６１】
一方、電源オフ状態とする指示入力がなされていないと判定した場合には、ステップＳ０２へ移行し、撮像装置１の動作モードが撮影モードに設定されているか否かを判定する。
【００６２】
ステップＳ０２で撮影モードに設定されていないと判定した場合には、ステップＳ０３において、撮像装置１の動作モードが再生モードに設定されているか否かを判定する。ステップＳ０３で再生モードに設定されていないと判定した場合には、動作モードの設定に異常がある旨を画像表示部１０に表示してステップＳ０１へ戻る。ステップＳ０３で再生モードに設定されていると判定した場合には、ステップＳ０４において詳しくは後述する再生処理を実行する。
【００６３】
一方、ステップＳ０２で撮影モードに設定されていると判定した場合には、ステップＳ１０へ移行する。ステップＳ１０及びステップＳ１１では、いわゆるライブビューと称される、被写体の最新のスルー画像を画像表示部１０に表示する。具体的には、ステップＳ１０において、撮影部２の左撮影部２ａ及び右撮影部２ｂの少なくとも一方によって撮影を行い、ステップＳ１１においてその画像を画像表示部１０に表示する。
【００６４】
そして、ステップＳ１２において、図４を参照して説明した３Ｄ効果判定処理を実行する。すなわち、ステップＳ１０で撮影した画像について、３Ｄ効果が有効であるか否かを判定する。
【００６５】
ステップＳ１２において、３Ｄ効果が有効であると判定した場合には、ステップＳ１４において、効果的に立体的な表示を行うことができる３Ｄ静止画像を撮影可能である旨を画像表示部１０に表示する。なお、音によって３Ｄ効果が有効であることを出力してもよい。また、ステップＳ１０において、左撮影部２ａ及び右撮影部２ｂの双方で撮影を行った場合には、ステップＳ１４において左視点画像及び右視点画像を同時に画像表示部１０に表示し３Ｄ表示を行ってもよい。
【００６６】
そして、ステップＳ１５及びステップＳ２０において、使用者により静止画像又は動画像の撮影の指示が入力されたか否かを判定する。静止画像又は動画像の撮影の指示が入力されていないと判定した場合には、ステップＳ０１へ戻る。
【００６７】
ステップＳ１５において、使用者により静止画撮影スイッチ４が操作され、２Ｄ静止画像又は３Ｄ静止画像の撮影動作の指示が入力されたと判定した場合には、ステップＳ１６に移行して、撮影部２により２Ｄ静止画像又は３Ｄ静止画像を撮影し記録部１２に記録する。ステップＳ１６において、２Ｄ静止画像及び３Ｄ静止画像のどちらを撮影して記録するかは、事前に使用者により設定された動作条件に従うものとする。
【００６８】
なお、３Ｄ効果が有効である場合には３Ｄ静止画像を撮影し、３Ｄ効果が無効である場合には、左撮影部２ａ及び右撮影部２ｂの一方のみによって２Ｄ静止画像を撮影するように、撮影制御部２３によって自動的に撮影部２の動作を切り替える形態であってもよい。このような形態であれば、３Ｄ効果が無効である場合に、左撮影部２ａ及び右撮影部２ｂの撮影に用いない方を停止させることができるため、消費電力を抑制することができる。また、記録部１２の記録容量も節約することができる。
【００６９】
一方、ステップＳ２０において、使用者により動画撮影スイッチ５が操作され、動画像の撮影動作の開始指示が入力されたと判定した場合には、ステップＳ２１に移行し２Ｄ動画像の撮影及び記録を開始する。
【００７０】
この２Ｄ動画像の撮影動作時では、ステップＳ２２に示すように、動画撮影スイッチ５が再び操作される等により動画像の撮影動作の終了指示が入力されるまで、ステップＳ２３からステップＳ２８に示す処理を繰り返す。
【００７１】
具体的には、ステップＳ２３において、図４を参照して説明した３Ｄ効果判定処理を実行する。すなわち、撮影した最新の画像（フレーム）について、３Ｄ効果が有効であるか否かを判定する。ステップＳ２３において、３Ｄ効果が無効であると判定した場合には、ステップＳ２２へ戻る。
【００７２】
ステップＳ２３において、３Ｄ効果が有効であると判定した場合には、ステップＳ２５において、効果的に立体的な表示を行うことができる３Ｄ静止画像を撮影可能である旨を画像表示部１０に表示する。
【００７３】
そして、ステップＳ２６において、図５を参照して説明したクライマックス判定処理を実行する。すなわち、撮影した最新の画像（フレーム）について、立体的な表示をするのに適切な場面であるか否かを判定する。ステップＳ２６において、クライマックス判定が有効ではない場合には、ステップＳ２２へ戻る。
【００７４】
ステップＳ２６において、クライマックス判定が有効である場合には、ステップＳ２８において、前回の静止画の撮影時間から所定の時間が経過しているか否かを判定する。そして、前回の静止画の撮影時間から所定の時間が経過している場合には、撮影部２により３Ｄ静止画像を撮影し記録部１２に記録する。前回の静止画の撮影時間から所定の時間が経過していない場合には、ステップＳ２２へ戻る。
【００７５】
ここで、ステップＳ２６の判定は、隣接したタイミングで３Ｄ静止画像が撮影されることにより、同様の構図の３Ｄ静止画像が重複してしまうことを防止するためである。例えば、ステップＳ２６の判定に用いられる所定の時間は、１／５秒から１秒程度とする。
【００７６】
以上のような動作を、ステップＳ２２において２Ｄ動画像の撮影動作の終了指示が入力されたと判定するまで、２Ｄ動画像の撮影及び記録動作と同時に繰り返す。そして、ステップＳ２２において２Ｄ動画像の撮影動作の終了指示が入力されたと判定した場合には、ステップＳ３０に移行し、２Ｄ動画像の撮影を終了する。
【００７７】
そして、ステップＳ３１において、今次の２Ｄ動画像の撮影中にステップＳ２９で撮影した３Ｄ静止画像は複数であるか否かを判定する。３Ｄ静止画像が１枚だけである場合にはステップＳ３５へ移行し、２Ｄ動画像の撮影時間と３Ｄ静止画像の撮影タイミングを紐付けし、２Ｄ動画像と３Ｄ静止画像の関連を記録する。
【００７８】
ステップＳ３１において、ステップＳ２９で撮影した３Ｄ静止画像が複数であると判定した場合には、ステップＳ３２へ移行し、これらの複数の３Ｄ静止画像のうち所定の時間間隔よりも短い間隔で隣接して撮影されたものが存在するか否かを判定する。ここで、所定の間隔は、例えば３秒から１０秒程度とする。
【００７９】
ステップＳ３２において、所定の時間間隔よりも短い間隔で隣接して撮影された３Ｄ静止画像が存在しない場合には、ステップＳ３５へ移行して２Ｄ動画像の撮影時間と全ての３Ｄ静止画像の撮影タイミングを紐付けし、２Ｄ動画像と３Ｄ静止画像の関連を記録する。
【００８０】
またステップＳ３２において、所定の時間間隔よりも短い間隔で隣接して撮影された複数の３Ｄ静止画像からなる画像グループが存在する場合には、ステップＳ３３へ移行してこれらの画像グループを記録する。そして、ステップＳ３４において、当該画像グループ中の最後に撮影された３Ｄ静止画像を選択し代表とする。
【００８１】
そして、ステップＳ３５において、２Ｄ動画像の撮影時間と、グループ化されていない３Ｄ静止画像の全ての撮影タイミング及び画像グループの撮影タイミングを紐付けし、２Ｄ動画像と３Ｄ静止画像の関連を記録する。
【００８２】
以上が、本実施形態の撮像装置１の撮影モード時の動作の説明である。次に、図８を参照して、ステップＳ０３で再生モードに設定されていると判定した場合に実行する再生処理について説明する。
【００８３】
再生処理は、ステップ５０に示すように、撮像装置１の動作モードが再生モードに設定されている期間中に実施される。再生処理では、まずステップＳ５１において、記録部１２に記録されている静止画像及び動画像の一覧を画像表示部１０に表示する、いわゆるサムネイル表示を行う。
【００８４】
そして、使用者により、静止画像及び動画像のうちのいずれかを選択する指示が操作部材により入力された場合には、ステップＳ５３において、選択されたものが静止画像であるか動画像であるかを判定する。
【００８５】
静止画像が選択された場合には、ステップＳ５４において、選択された静止画像を画像表示部１０に拡大して表示する。ここで、使用者が十字スイッチ９を操作する等により送り指示が入力されたと判定した場合（ステップＳ５５のＹＥＳ）には、次の静止画像又は動画像が選択されたものとしてステップＳ５３へ戻る。また、使用者がズーム操作スイッチ８を操作する等により一覧表示指示が入力されたと判定した場合（ステップＳ５６のＹＥＳ）には、ステップＳ５０へ戻る。
【００８６】
一方、ステップＳ５３で使用者により選択されたものが動画像であると判定した場合には、ステップＳ６０において、選択された動画像を再生して画像表示部１０に表示する。
【００８７】
この動画像の再生中において、当該動画像が２Ｄ動画像であって、かつ上述したステップＳ３５で紐付けされた３Ｄ静止画像が記録部１２に記録されている場合には、ステップＳ６１からステップＳ６５の処理を実行する。
【００８８】
本実施形態では、２Ｄ動画像の再生時において、紐付けられた３Ｄ静止画像の撮影タイミングに到達した場合（ステップＳ６１のＹＥＳ）に、画像表示部１０における表示を、その対応した３Ｄ静止画像を所定の再生時間だけ再生して表示する。なお、２Ｄ動画像に記録された音声については、３Ｄ静止画像の表示中も停止することなく再生しスピーカ７から出力する。ここで、３Ｄ静止画像を再生し表示する所定の再生時間は、例えば３秒程度とする。
【００８９】
３Ｄ静止画像を表示して所定の再生時間が経過した後（ステップＳ６４のＹＥＳ）は、再び２Ｄ動画像を所定の再生時間だけスキップして再生し、画像表示部１０に表示する。
【００９０】
次に、以上に説明したような本実施形態の撮像装置１の実際の動作について、以下に説明する。以下では例えば、撮影時間ｔ＝０に、動画撮影スイッチ５が操作されて図９に示すような２Ｄ動画像が撮影され記録されるものとする。図９の左側は、２Ｄ動画像の場面の遷移の様子を示しており、撮影時間ｔ＝０からｔ＝２にかけて、撮像装置１が主要被写体である人物を捉えつつ、人物に近づく様子を示している。
【００９１】
図９の撮影時間ｔ＝１の場面では、人物の顔が画像の中央に捉えられているが、撮像装置１と人物との距離が適切な値ＬＡよりも大きい。したがって、被写体状況判定部２２による３Ｄ効果判定処理の結果は無効となる。
【００９２】
撮影時間ｔ＝２以降の場面では、人物の顔が画像の中央に捉えられており、かつ撮像装置１と人物との距離が値ＬＡよりも小さい。したがって、撮影時間ｔ＝２以降の場面では、被写体状況判定部２２による３Ｄ効果判定処理の結果は、有効となる。
【００９３】
そして、撮影時間ｔ＝３の場面では、人物の顔の大きさが変化した後に、人物の顔の変化が静止したため、クライマックス判定処理の結果が有効となり、３Ｄ静止画像が撮影される（ステップＳ２９）。
【００９４】
次の撮影時間ｔ＝４の場面では、人物の表情が笑顔となるためクライマックス判定処理の結果が有効となる。しかし、撮影時間ｔ＝３における前回３Ｄ静止画像の撮影から所定の時間が経過していないため、３Ｄ静止画像の撮影は行われない（ステップＳ２８のＮＯ）。
【００９５】
次の撮影時間ｔ＝５の場面では、人物の表情が笑顔となるためクライマックス判定処理の結果が有効となり、かつ撮影時間ｔ＝３における前回３Ｄ静止画像の撮影から所定の時間が経過しているため、３Ｄ静止画像が撮影される（ステップＳ２９）。撮影時間ｔ＝６の場面では、人物の表情が笑顔ではなく、また人物の顔の表情が変化している途中であるので、クライマックス判定処理の結果は無効となる。
【００９６】
ここで、撮影時間ｔ＝３及びｔ＝５において撮影した２つの３Ｄ静止画像は、所定の時間間隔よりも短い間隔で隣接して撮影されているため、一つの画像グループとして２Ｄ動画像と紐付けられて記録部１２に記録される。そして、この画像グループの内の最後に撮影された撮影時間ｔ＝５の３Ｄ静止画像が代表として記録される。
【００９７】
次に、以上に説明した図９の２Ｄ動画像を再生モード時に再生する場合の動作を図１０を参照して説明する。図１０は、図９の２Ｄ動画像を再生した場合の、画像表示部１０における表示の様子を示している。
【００９８】
２Ｄ動画像の再生において、再生時間ｔ＝２までは、紐付けられた３Ｄ静止画像の撮影タイミングではないため、２Ｄ動画像が再生され表示される。そして、再生時間ｔ＝３において、紐付けられた３Ｄ静止画像の撮影タイミングに到達するため、画像表示部１０には、このタイミングで撮影された画像グループのうちの代表となる３Ｄ静止画像が表示される。ここで、代表となる３Ｄ静止画像は、撮影時間ｔ＝５において撮影された３Ｄ静止画像である。そして、所定の再生時間が経過した後（再生時間ｔ＝６以降）は、再び２Ｄ動画像が画像表示部１０に表示される。
【００９９】
以上に説明したように、本実施形態の撮像装置１は、２Ｄ動画像の撮影時において、立体表示の効果が高く、かつ立体表示をするのに適切な場面では、３Ｄ静止画像を自動的に撮影することができる。
【０１００】
そして、本実施形態の撮像装置１は、撮影した２Ｄ動画像の再生時において、立体表示をするのに適切な要所のみに、立体表示効果の高い３Ｄ静止画像の表示を自動的に交えることができる。
【０１０１】
このため、本実施形態の撮像装置１は、２Ｄ動画像と３Ｄ静止画像とを適切に切り替えることにより、立体表示により臨場感をより強調することのできる印象深い演出表現を行うことができる。
【０１０２】
また、３Ｄ動画像の長時間の鑑賞は、鑑賞者に目の疲れや不快感を与えてしまうことが考えられるが、本実施形態では、２Ｄ動画像の途中に３Ｄ静止画像が表示される形態であるため、鑑賞者が目の疲れや不快感を覚えることを防止することができる。
【０１０３】
なお、本実施形態では、２Ｄ動画像の撮影時において、立体表示の効果が高く、かつ立体表示をするのに適切な場面において、３Ｄ静止画像を自動的に撮影する構成としているが、撮像装置１は、２Ｄ動画像の撮影時において、立体表示の効果が高く、かつ立体表示をするのに適切な場面において、所定の期間だけ３Ｄ動画像を自動的に撮影するものであってもよい。すなわち、２Ｄ動画像の撮影時において、３Ｄ効果判定及びクライマックス判定が有効となった場合には、例えば２秒〜５秒程度の３Ｄ動画像を撮影する構成であってもよい。
【０１０４】
また、再生処理におけるステップＳ５１の一覧表示（サムネイル表示）において、動画像の検索用の縮小画像（サムネイル）として、該動画像の撮影時に自動的に撮影した３Ｄ静止画像を縮小したものを用いてもよい。このような構成であれば、３Ｄ効果判定及びクライマックス判定が有効となった印象深い場面が、動画像の検索用の縮小画像として表示されるため、使用者は目的の動画像を容易に探し出すことが可能となる。
【０１０５】
また、上述した実施形態では、撮像装置１は、２つの視点に対応する一対の左撮影部２ａ及び右撮影部２ｂを具備してなるが、例えば単一の撮影部を有する２台の撮像装置を組み合わせて使用し、該２台の撮像装置を有線又は無線による通信により略同期させて動作させる構成にも本発明は適用可能である。
【０１０６】
（第２の実施形態）  
上述した第１の実施形態の図５に示すクライマックス判定処理では、人物の表情や周囲の音量といった被写体及び被写体の周囲の状況に基づいてクライマックス判定を行っているが、クライマックス判定は、撮像装置１の使用者（撮影者）の撮影意図が反映されるものであってもよい。
【０１０７】
以下に第２の実施形態の撮像装置として、このような使用者の意図をクライマックス判定に織り込んだ撮像装置について、図１１及び図１２を参照して説明する。第２の実施形態は、上述した第１の実施形態に比してクライマックス判定処理のみが異なる。以下ではこの相違点のみを説明するものとし、また、第１の実施形態と同様の構成要素については同一の符号を付し、その説明を適宜に省略するものとする。
【０１０８】
図１１のフローチャートに示すように、本実施形態のクライマックス判定処理は、第１の実施形態のクライマックス判定処理に比して、ステップＳ８６のＮＯ判定後にステップＳ８９が追加されている点が異なる。
【０１０９】
ステップＳ８９では、撮像装置１が、被写体に向かって移動された後に被写体に対して停止したか否かを判定する。撮像装置１の被写体に向かう方向の移動の検出は、例えば画像の動きベクトルが放射状に発生したか否かによって行うことができる。また、撮像装置１の被写体に向かう方向の移動の検出は、撮像装置に配設された加速度センサの出力に基づいて行うことも可能である。
【０１１０】
このステップＳ８９において、撮像装置１が、被写体に向かって移動された後に被写体に対して停止したと判定した場合には、クライマックス判定を有効とする。
【０１１１】
クライマックス判定処理にステップＳ８９を加えた本実施形態では、図１２に示すように、使用者１００が撮像装置１を被写体１０１に向かって押し出すように移動させた後に、所定の位置に停止するように構えた場合に、クライマックス判定が有効となり、３Ｄ画像の撮影が行われる。
【０１１２】
このように本実施形態では、クライマックス判定に使用者の意図を織り込むことが可能であり、使用者の演出意図を反映した撮影を行うことができる。
【０１１３】
（第３の実施形態）  
上述した実施形態では、撮像装置１は、２つの視点に対応する一対の左撮影部２ａ及び右撮影部２ｂを具備してなるが、例えば図１３に示すように、単一の視点の撮影部を有する１台の撮像装置１ｂを使用し、該撮像装置１ｂを移動させながら複数の視点で被写体１０１を撮影する構成にも本発明は適用可能である。
【０１１４】
以下に第３の実施形態として、単一の視点の撮影部を有する撮像装置１ｂに本発明を適用した形態を図１３から図１８を参照して説明する。本実施形態では一例として、単一の視点の撮影部を有する撮像装置１ｂを、図１３中の矢印Ｂで示すように、使用者１００が被写体１０１に向かって左から右へ移動させながら撮影を行うものとする。
【０１１５】
本実施形態の撮像装置１ｂの動作制御のメインルーチンを図１４及び図１５のフローチャートを参照して説明する。このメインルーチンは、撮像装置１ｂが電源オン状態とされることにより開始される。
【０１１６】
まず、ステップＳ１０１において、撮像装置１ｂを電源オフ状態とする指示入力がなされたか否かを判定する。電源オフ状態とする指示入力がなされたと判定した場合には、撮影用レンズの位置を所定の位置に移動する等の終了処理を実施した後に、撮像装置１ｂを電源オフ状態とする。
【０１１７】
一方、電源オフ状態とする指示入力がなされていないと判定した場合には、ステップＳ１０２へ移行し、撮像装置１ｂの動作モードが撮影モードに設定されているか否かを判定する。
【０１１８】
ステップＳ１０２で撮影モードに設定されていないと判定した場合には、ステップＳ１０３において、撮像装置１ｂの動作モードが再生モードに設定されているか否かを判定する。ステップＳ１０３で再生モードに設定されていないと判定した場合には、動作モードの設定に異常がある旨を画像表示部に表示してステップＳ１０１へ戻る。ステップＳ０３で再生モードに設定されていると判定した場合には、ステップＳ１０４において再生処理を実行する。
【０１１９】
一方、ステップＳ１０２で撮影モードに設定されていると判定した場合には、ステップＳ１１０へ移行する。ステップＳ１１０及びステップＳ１１１では、いわゆるライブビューと称される、被写体の最新のスルー画像を画像表示部に表示する。具体的には、ステップＳ１１０において、撮影部によって撮影を行い、ステップＳ１１１においてその画像を画像表示部に表示する。
【０１２０】
そして、ステップＳ１１２において、図４を参照して説明した３Ｄ効果判定処理を実行する。すなわち、ステップＳ１１０で撮影した画像について、３Ｄ効果が有効であるか否かを判定する。
【０１２１】
ステップＳ１１２において、３Ｄ効果が有効であると判定した場合には、ステップＳ１１４において、効果的に立体的な表示を行うことができる３Ｄ静止画像を撮影可能である旨を画像表示部に表示する。
【０１２２】
そして、ステップＳ１１５及びステップＳ１２０において、使用者により２Ｄ画像又は３Ｄ画像の撮影の指示が入力されたか否かを判定する。２Ｄ画像又は３Ｄ画像の撮影の指示が入力されていないと判定した場合には、ステップＳ１０１へ戻る。
【０１２３】
ステップＳ１１５において、２Ｄ画像の撮影動作の指示が入力されたと判定した場合には、ステップＳ１１６に移行して、撮影部により２Ｄ画像を撮影し記録部に記録する。
【０１２４】
一方、ステップＳ１２０において、３Ｄ画像の撮影動作の開始指示が入力されたと判定した場合には、ステップＳ１２１に移行し２Ｄ動画像の撮影及び記録を開始する。そして、ステップＳ１２２において、最初に取得したフレームの画像を基準画像として記憶する。この２Ｄ動画像の撮影動作は、ステップＳ１２３に示すように、撮影動作の終了指示が入力されるまで繰り返される。
【０１２５】
２Ｄ動画像の撮影動作では、まずステップＳ１２４において、取得した最新の画像と基準画像とを比較し、該最新の画像と基準画像との組み合わせによって３Ｄ表示が可能な３Ｄ画像を得ることができるか否かを判定する。
【０１２６】
このステップＳ１２４では、最新の画像と基準画像とが、視差を有する異なる視点から同一の被写体を撮影したものであって、かつ被写体に変化がない場合に、３Ｄ画像の撮影が可能であると判定する。
【０１２７】
例えば、図１３に示すように被写体１０１が人物である場合、最新の画像及び基準画像における被写体１０１の顔の大きさ及び表情等に変化がなく、かつ最新の画像の視点及び基準画像の視点が略水平方向に離れた状態であれば、３Ｄ画像の撮影が可能であると判定する。
【０１２８】
最新の画像の視点及び基準画像の視点の位置の判定については、例えば最新の画像及び基準画像において被写体１０１の顔の上下方向の位置に変化がなく、被写体１０１の顔に対する背景の位置が左右方向に移動している場合に、最新の画像の視点及び基準画像の視点が略水平方向に離れた状態であると判定することにより可能である。
【０１２９】
なお、ステップＳ１２４における３Ｄ画像の撮影が可能か否かの判定は、上述した画像の比較に基づくもの以外に、撮像装置１ｂに配設された加速度センサ及び角加速度センサ等の移動検出装置の出力から算出される撮像装置１ｂの移動ベクトルに基づくものであってもよい。
【０１３０】
ステップＳ１２４において、３Ｄ画像の撮影が可能であると判定した場合（ステップＳ１２５のＹＥＳ）には、ステップＳ１２６において、最新の画像及び基準画像を紐付けて３Ｄ画像として記録する。そして、ステップＳ１２７において、画像表示部に３Ｄ画像の撮影を実行した旨を表示する。
【０１３１】
一方、ステップＳ１２４において、３Ｄ画像の撮影が不可能であると判定した場合（ステップＳ１２５のＮＯ）には、ステップＳ１３０において、最新の画像と基準画像のうちのどちらが３Ｄ画像に用いる画像として適当なものであるかを判定する。
【０１３２】
例えば、ステップＳ１２４の判定において被写体１０１の表情が笑顔に変わっていた場合、笑顔である最新の画像の方が３Ｄ画像を構成する画像としてより好ましいものであり、現在の基準画像は不適当なものであると判定する。
【０１３３】
現在の基準画像が、３Ｄ画像に用いる画像として不適当なものであると判定した場合（ステップＳ１３０のＹＥＳ）には、ステップＳ１３１において最新の画像を新たな基準画像として記憶し、ステップＳ１２３へ戻る。
【０１３４】
現在の基準画像が、３Ｄ画像に用いる画像として適当なものであると判定した場合（ステップＳ１３０のＮＯ）には、ステップＳ１３３において、３Ｄ画像を撮影するための操作方法を使用者１００に提示する３Ｄ撮影ガイドを画像表示部に表示する。
【０１３５】
ステップＳ１３３では、例えば基準画像と最新の画像との比較結果から、撮像装置１ｂをどのように移動すれば３Ｄ画像撮影が可能となるかを判断し、その移動の方向を３Ｄ撮影ガイドとして画像表示部に表示する。例えば、図１６に示すように、基準画像に対して被写体１０１の顔の位置が上に移動してしまっている場合には、その旨を３Ｄ撮影ガイド１１１として表示する。
【０１３６】
以上のような動作を、ステップＳ１２３において撮影動作の終了指示が入力されたと判定するまで繰り返す。そして、ステップＳ１２３において撮影動作の終了指示が入力されたと判定した場合には、ステップＳ１４０に移行し、２Ｄ動画像の撮影を終了する。
【０１３７】
次に、以上に説明したような本実施形態の撮像装置１ｂにおいて、ステップＳ１２１以降の２Ｄ動画像撮影の動作例を説明する。
【０１３８】
図１３に実線で示すように、まず使用者１００が被写体１０１に向かって左側に撮像装置１ｂを構えた状態で２Ｄ動画像の撮影指示を入力した場合、最初に取得された画像が基準画像として記憶される（ステップＳ１２２）。
【０１３９】
ここで、使用者１００が撮像装置１ｂを移動させない場合、図１７に示すように、撮影される最新のフレームの画像は基準画像と同等であるため、基準画像との組み合わせによって３Ｄ画像を構成することはできない（ステップＳ１２５のＮＯ）。したがって、画像表示部には、最新の画像と共に、撮像装置１ｂを右へ動かすように指示する３Ｄ撮影ガイド表示１１０が表示される。
【０１４０】
使用者１００が、撮像装置１ｂを略水平に右へ移動させた場合、図１８に示すように、最新のフレームの画像は、基準画像に対して視差を有するものとなり、基準画像との組み合わせによって３Ｄ画像を構成することが可能となる（ステップＳ１２５のＹＥＳ）。この場合、基準画像と最新の画像の組み合わせが３Ｄ静止画像として記録部に記録される（ステップＳ１２６）。そして、画像表示部に３Ｄ画像の撮影を実行した旨が表示される（ステップＳ１２７、図１８の符号１１２）。
【０１４１】
以上のように、本実施形態の撮像装置１ｂは、被写体に対して移動しながら２Ｄ動画像を撮影する際に、この２Ｄ動画像の個々のフレーム中に３Ｄ静止画像を構成可能な組み合わせが存在する場合には、その組み合わせを３Ｄ静止画像として記録する。
【０１４２】
このため、本実施形態の撮像装置１ｂは、２Ｄ動画像中に、３Ｄ静止画像を挿入したものを自動的に撮影することができ、立体表示により臨場感をより強調することのできる印象深い演出表現を行うことができる。
【０１４３】
なお、本実施形態の撮像装置１ｂにおいて、２Ｄ動画像の検索用の縮小画像（サムネイル）として、該２Ｄ動画像の撮影時に自動的に撮影した３Ｄ静止画像を構成する画像の一方を縮小したものを用いてもよい。このような構成であれば、２Ｄ動画像中の印象深い場面が、動画像の検索用の縮小画像として表示されるため、使用者は目的の動画像を容易に探し出すことが可能となる。
【０１４４】
なお、本発明は、上述した実施形態に限られるものではなく、請求の範囲及び明細書全体から読み取れる発明の要旨或いは思想に反しない範囲で適宜変更可能であり、そのような変更を伴う撮像装置もまた本発明の技術的範囲に含まれるものである。
【産業上の利用可能性】
【０１４５】
本発明は、上述の実施形態で説明した撮像装置に限らず、撮影機能を備えた録音機器、携帯電話、ＰＤＡ、パーソナルコンピューター、ゲーム機、デジタルメディアプレーヤー、テレビ、ＧＰＳ、時計等の電子機器にも適用可能である。
【符号の説明】
【０１４６】
１    撮像装置、
２    撮影部、
２ａ    左撮影部、
２ｂ    右撮影部、
３    マイクロホン、
４    静止画撮影スイッチ、
５    動画撮影スイッチ５、
６    電源スイッチ、
８    ズーム操作スイッチ、
９    十字スイッチ９、
１０    画像表示部、
１１    操作判定部、
１２    記録部、
１３    時計部、
２０    制御部、
２１    画像処理部、
２２    被写体状況判定部、
２３    撮影制御部、
２４    顔認識部。
【図１】
2010252046.tif 000003
【図２】
2010252046.tif 000004
【図３】
2010252046.tif 000005
【図４】
2010252046.tif 000006
【図５】
2010252046.tif 000007
【図６】
2010252046.tif 000008
【図７】
2010252046.tif 000009
【図８】
2010252046.tif 000010
【図９】
2010252046.tif 000011
【図１０】
2010252046.tif 000012
【図１１】
2010252046.tif 000013
【図１２】
2010252046.tif 000014
【図１３】
2010252046.tif 000015
【図１４】
2010252046.tif 000016
【図１５】
2010252046.tif 000017
【図１６】
2010252046.tif 000018
【図１７】
2010252046.tif 000019
【図１８】
2010252046.tif 000020